(57)【要約】      （修正有）【課題】簡単に十分な強度で釣合重りを支持できるエレベーターの釣合重り支持装置およびエレベーターの釣合重り支持方法を提供する。【解決手段】釣合重り支持装置２７は、水平支持具２８と、一対の固定具３１と、一対の鉛直支持具２９と、を備える。一対の鉛直支持具２９の各々は、各々の中心軸Ａ２が鉛直面Ｐに含まれるように軸方向を鉛直方向に向けて釣合重りの下に配置される。鉛直面Ｐは、一対の釣合重りガイドレール７の各々の中心を通る。水平支持具２８は、一対の固定具３１によって、鉛直面Ｐの一側において一対の釣合重りガイドレール７の一方から他方に亘って水平に固定される。一対の鉛直支持具２９の各々は、側方から水平支持具２８に固定される。釣合重りの下面は、一対の鉛直支持具２９の各々の一端に載せられる。【選択図】図８
2019214458.tif 000002
【特許請求の範囲】
【請求項１】
延伸方向に延びる形状である水平支持具と、
前記水平支持具の前記延伸方向の両端部の各々に設けられ、エレベーターの一対のガイドレールの各々の中心を通る鉛直面の一側において前記水平支持具を前記一対のガイドレールの一方から他方に亘って水平に固定する一対の固定具と、
軸方向に延びる形状であり、前記軸方向の一端が他端から分離されず、前記水平支持具に側方から固定され中心軸が前記一対のガイドレールの各々の中心を通る前記鉛直面に含まれるように前記軸方向を鉛直方向に向けた状態で前記エレベーターの釣合重りを下方から支持する鉛直支持具と、
を備えるエレベーターの釣合重り支持装置。
【請求項２】
前記鉛直支持具は、前記一端から前記他端までの間の長さが可変である請求項１に記載のエレベーターの釣合重り支持装置。
【請求項３】
前記一対の固定具の各々は、
前記水平支持具を前記一対のガイドレールのいずれかに固定するクランプと、
当該ガイドレールと前記クランプとの間に設けられ、前記鉛直面から前記水平支持具の中心軸までの距離を、前記鉛直支持具の中心軸から前記水平支持具の中心軸に下ろした垂線の長さに保つスペーサーと、
を備える請求項１または請求項２に記載のエレベーターの釣合重り支持装置。
【請求項４】
前記スペーサーは、底面からの厚さが一定の第１領域と、前記底面からの厚さが一定で前記第１領域の厚さより薄い第２領域と、を有する請求項３に記載のエレベーターの釣合重り支持装置。
【請求項５】
エレベーターにおいて、軸方向に延びる形状で前記軸方向の一端が他端から分離されない鉛直支持具を、床面からの高さが前記一端から前記他端までの長さより高い位置にある釣合重りの下に、中心軸が一対のガイドレールの各々の中心を通る鉛直面に含まれるように前記軸方向を鉛直方向に向けて配置する鉛直支持具配置工程と、
延伸方向に延びる形状である水平支持具を、前記水平支持具の前記延伸方向の両端部の各々に設けられる一対の固定具によって、前記鉛直面の一側において前記一対のガイドレールの一方から他方に亘って水平に固定する水平支持具固定工程と、
前記鉛直支持具を側方から前記水平支持具に固定する鉛直支持具固定工程と、
前記釣合重りの下面を前記鉛直支持具の前記一端に載せて、前記釣合重りを支持する釣合重り支持工程と、
を備えるエレベーターの釣合重り支持方法。
【請求項６】
前記釣合重り支持工程は、
前記鉛直支持具の前記一端から前記他端までの長さを、前記釣合重りの下面の高さに調整する鉛直支持具調整工程、
を含む請求項５に記載のエレベーターの釣合重り支持方法。
【発明の詳細な説明】
【技術分野】
【０００１】
本発明は、エレベーターの釣合重り支持装置およびエレベーターの釣合重り支持方法に関する。
【背景技術】
【０００２】
特許文献１にエレベーターの釣合重りの支持装置の例が記載されている。支持装置は、鉛直支持具と、水平支持具と、を備える。鉛直支持具は、釣合重りを下方から支持する。水平支持具は、鉛直支持具を一対のガイドレールに支持させる。
【先行技術文献】
【特許文献】
【０００３】
【特許文献１】特開平３−１２０１８９号公報
【発明の概要】
【発明が解決しようとする課題】
【０００４】
しかしながら、特許文献１に記載の支持装置の鉛直支持具は、分離された２つの部材を軸方向に直列に継いで釣合重りを支持する。このため、鉛直支持具は、２つの部材の軸方向の位置および角度を正確に合わせなければ、２つの部材を継いだ部分の強度が不足しうる。これにより、当該支持装置を用いた釣合重りの支持は、作業員の熟練が必要になる。
【０００５】
本発明は、このような課題を解決するためになされた。本発明の目的は、簡単に十分な強度で釣合重りを支持できるエレベーターの釣合重り支持装置およびエレベーターの釣合重り支持方法を提供することである。
【課題を解決するための手段】
【０００６】
本発明に係るエレベーターの釣合重り支持装置は、延伸方向に延びる形状である水平支持具と、水平支持具の延伸方向の両端部の各々に設けられ、エレベーターの一対のガイドレールの各々の中心を通る鉛直面の一側において水平支持具を一対のガイドレールの一方から他方に亘って水平に固定する一対の固定具と、軸方向に延びる形状であり、軸方向の一端が他端から分離されず、水平支持具に側方から固定され中心軸が鉛直面に含まれるように軸方向を鉛直方向に向けた状態でエレベーターの釣合重りを下方から支持する鉛直支持具と、を備える。
【０００７】
本発明に係るエレベーターの釣合重り支持方法は、エレベーターにおいて、軸方向に延びる形状で軸方向の一端が他端から分離されない鉛直支持具を、床面からの高さが一端から他端までの長さより高い位置にある釣合重りの下に、中心軸が一対のガイドレールの各々の中心を通る鉛直面に含まれるように軸方向を鉛直方向に向けて配置する鉛直支持具配置工程と、延伸方向に延びる形状である水平支持具を、水平支持具の延伸方向の両端部の各々に設けられる一対の固定具によって、一対のガイドレールの各々の中心を通る鉛直面の一側において一対のガイドレールの一方から他方に亘って水平に固定する水平支持具固定工程と、鉛直支持具を側方から水平支持具に固定する鉛直支持具固定工程と、釣合重りの下面を鉛直支持具の一端に載せて、釣合重りを支持する釣合重り支持工程と、を備える。
【発明の効果】
【０００８】
これらの発明によれば、水平支持具は、エレベーターの一対のガイドレールの各々に水平に固定される。鉛直支持具は、側方から水平支持具に固定される。鉛直支持具は、釣合重りの荷重を支持する。鉛直支持具は、軸方向の一端が他端から分離されない。これにより、簡単に十分な強度で釣合重りを支持できる。
【図面の簡単な説明】
【０００９】
【図１】実施の形態１に係る釣合重り支持方法が適用されるエレベーターの構成図である。
【図２】実施の形態１に係る釣合重り支持装置の上面図である。
【図３】実施の形態１に係る鉛直支持具の側面斜視図である。
【図４】実施の形態１に係る第１クランプの斜視図である。
【図５】実施の形態１に係る第２クランプの斜視図である。
【図６】実施の形態１に係るスペーサーの斜視図である。
【図７】実施の形態１に係る釣合重り支持方法の例を示す図である。
【図８】実施の形態１に係る釣合重り支持方法の例を示す図である。
【図９】実施の形態１に係る釣合重り支持方法の例を示す図である。
【図１０】実施の形態１に係る釣合重り支持方法の例を示す図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、実施の形態１に係る重り枠組立方法が適用されるエレベーターの構成図である。
【００１２】
図１において、エレベーター１が設けられる建築物は、複数の階を有する。昇降路２は、建築物の各階を貫く。ピット３は、昇降路２の下端に設けられる。複数の乗場４の各々は、建築物の各階に設けられる。複数の乗場４の各々は、昇降路２に対向する。複数の乗場４の各々は、乗場扉５を備える。
【００１３】
一対のかごガイドレール６は、昇降路２に設けられる。一対のかごガイドレール６の各々は、鉛直方向に延びる。一対のかごガイドレール６は、互いに平行である。一対のかごガイドレール６は、互いに対向する。一対のかごガイドレール６の互いに対向する部分の厚さは、一定の厚さである。
【００１４】
一対の釣合重りガイドレール７は、昇降路２に設けられる。一対の釣合重りガイドレール７の各々は、鉛直方向に延びる。一対の釣合重りガイドレール７は、互いに平行である。一対の釣合重りガイドレール７は、互いに対向する。一対の釣合重りガイドレール７の互いに対向する部分の厚さは、一定の厚さＴである。
【００１５】
エレベーター１は、かご８と、釣合重り９と、巻上機１０と、そらせ車１１と、主ロープ１２と、かごバッファー１５と、釣合重りバッファー１６と、を備える。
【００１６】
かご８は、昇降路２の内部において一対のかごガイドレール６に沿って昇降しうるように設けられる。かご８と一対のかごガイドレール６の各々との間の間隙の幅は、かご８が滑らかに昇降しうるように、予め定められた幅に調整される。かご８は、かご扉１７と、複数のガイドシュー１８と、を備える。かご扉１７は、図示されない係合装置を備える。係合装置は、かご８が複数の階のいずれかに停止している場合に乗場扉５をかご扉１７に連動して開閉させる装置である。複数のガイドシュー１８は、かご８の昇降を一対のかごガイドレール６に沿ってガイドする装置である。複数のガイドシュー１８の一部は、一対のかごガイドレール６の一方の側に設けられる。複数のガイドシュー１８の他の一部は、一対のかごガイドレール６の他方の側に設けられる。
【００１７】
釣合重り９は、昇降路２の内部において一対の釣合重りガイドレール７に沿って昇降しうるように設けられる。釣合重り９と一対の釣合重りガイドレール７の各々との間の間隙は、釣合重り９が滑らかに昇降しうるように、予め定められた幅に調整される。なお、当該間隙は、エレベーターによって異なる幅が設定されることがある。
【００１８】
巻上機１０は、昇降路２の上部に設けられる。巻上機１０は、モーターと、シーブと、を備える。巻上機１０のモーターは、巻上機１０のシーブを回転駆動する装置である。
【００１９】
そらせ車１１は、昇降路２の上部に設けられる。そらせ車１１は、シーブである。
【００２０】
主ロープ１２は、巻上機１０のシーブに巻き掛けられる。主ロープ１２は、そらせ車１１に巻きかけられる。主ロープ１２の一端は、かご８に保持される。主ロープ１２の他端は、釣合重り９に保持される。
【００２１】
かごバッファー１５は、ピット３に設けられる。かごバッファー１５は、かご８が昇降路２の底部に衝突する場合の衝撃を緩和する装置である。かごバッファー１５は、かご８の下方に設けられる。
【００２２】
釣合重りバッファー１６は、ピット３に設けられる。釣合重りバッファー１６は、釣合重り９が昇降路２の底部に衝突する場合の衝撃を緩和する装置である。釣合重りバッファー１６は、釣合重り９の下方に設けられる。釣合重りバッファー１６の上端部は、例えば鉛直方向を中心軸とする円筒形状である。釣合重りバッファー１６の中心軸は、例えば釣合重り９の中心軸上に設けられる。
【００２３】
釣合重り９は、複数のガイドシュー１９と、複数の重りブロック２０と、重り枠２１と、を備える。
【００２４】
複数のガイドシュー１９は、釣合重り９の昇降を一対の釣合重りガイドレール７に沿ってガイドする装置である。複数のガイドシュー１９の一部は、一対の釣合重りガイドレール７の一方の側に設けられる。複数のガイドシュー１９の他の一部は、一対の釣合重りガイドレール７の他方の側に設けられる。
【００２５】
複数の重りブロック２０の各々は、例えば鉄などの金属またはコンクリートである。複数の重りブロック２０は、重り枠２１の内に積み重ねられる。
【００２６】
重り枠２１は、複数の重りブロック２０を積み込む枠である。重り枠２１は、例えば鉄を主成分とする合金で形成される。重り枠２１は、例えば長方形状に設けられる。
【００２７】
エレベーター１の運転において、主ロープ１２は、巻上機１０のモーターに駆動されて移動する。かご８は、主ロープ１２の移動に追従して昇降する。釣合重り９は、主ロープ１２の移動に追従して昇降する。かご８は、乗場４が設けられる階に停止する。エレベーター１の利用者は、乗場４からかご８に乗車する。あるいは、エレベーター１の利用者は、かご８から乗場４に降車する。
【００２８】
主ロープ１２は、例えばエレベーター１の改修において交換される。主ロープ１２は、張力が除かれた後に交換される。主ロープ１２の張力は、昇降路２の内部において例えば図１に図示されないチェーンブロックなどによってかご８を吊り上げることで除かれる。このとき、釣合重り９は、実施の形態１に係る釣合重り支持装置によって支持された状態にある。
【００２９】
続いて、図２を用いて、釣合重り９の支持に用いられる釣合重り支持装置２７の構成を説明する。
図２は、実施の形態１に係る釣合重り支持装置の上面図である。
【００３０】
釣合重り支持装置２７は、釣合重り９の支持に用いられる。釣合重り支持装置２７は、水平支持具２８と、一対の鉛直支持具２９と、一対の第１クランプ３０と、一対の固定具３１と、を備える。
【００３１】
水平支持具２８は、延伸方向に延びる形状である。水平支持具２８は、例えば単管パイプである。図２において、水平支持具２８の延伸方向は、紙面の左右方向を向く。水平支持具２８の中心軸Ａ１は、延伸方向に向く。
【００３２】
一対の鉛直支持具２９の各々は、釣合重り９の荷重を支持する器具である。一対の鉛直支持具２９の各々は、軸方向に延びる形状である。図２において、一対の鉛直支持具２９の各々の軸方向は、紙面に垂直な方向を向く。一対の鉛直支持具２９の各々の中心軸Ａ２は、軸方向に向く。一対の鉛直支持具２９の各々の中心軸Ａ２から水平支持具の中心軸Ａ１に下ろした垂線の長さの各々は、長さｈで互いに等しい。
【００３３】
一対の第１クランプ３０の各々は、一対の鉛直支持具２９の各々を側方から水平支持具２８に固定する器具である。一対の第１クランプ３０は、例えば自在クランプである。
【００３４】
一対の固定具３１の一方は、水平支持具２８の延伸方向の一端に設けられる。一対の固定具３１の他方は、水平支持具２８の延伸方向の他端に設けられる。一対の固定具３１の各々は、第２クランプ３２と、スペーサー３３と、を備える。
【００３５】
第２クランプ３２は、水平支持具２８を一対の釣合重りガイドレール７に固定する器具である。第２クランプ３２は、例えば自在クランプである。スペーサー３３は、例えば樹脂によって形成される。
【００３６】
続いて、図３を用いて、鉛直支持具２９の構成を説明する。
図３は、実施の形態１に係る鉛直支持具の側面斜視図である。
【００３７】
一対の鉛直支持具２９の各々は、外管３４と、内管３５と、ピン３６と、を備える。
【００３８】
外管３４は、金属のパイプ状の部材である。外管３４の一端は、開放端である。外管３４は、開放端の側の端部に図示されない穴を有する。外管３４が有する穴は、外管３４の軸方向に垂直な方向において外管３４を貫通する。外管３４は、底板３７を備える。底板３７は、外管３４の開放端の反対側の端部に設けられる。底板３７は、板状の部材である。底板３７の底面は、外管３４の軸方向に垂直である。
【００３９】
内管３５は、金属のパイプ状の部材である。内管３５は、図示されない複数の穴を端部に有する。内管３５が有する複数の穴の各々は、内管３５の軸方向に垂直な方向において内管３５を貫通する。内管３５の外径は、外管３４の外径よりも小さい。内管３５の複数の穴を有する端部は、使用状態において外管３４の開放端に挿入される。内管３５は、天板３８を備える。天板３８は、内管３５の複数の穴を有する端部の反対側の端部に設けられる。天板３８は、板状の部材である。天板３８の上面は、内管３５の軸方向に垂直である。
【００４０】
ピン３６は、金属の棒状の部材である。ピン３６は、外管３４が開放端の側の端部に有する穴と、内管３５が端部に有する複数の穴のいずれかと、の両方を貫通する。ピン３６は、内管３５を外管３４に留める部材である。
【００４１】
一対の鉛直支持具２９の各々の軸方向の一端から他端までの長さは、可変である。一対の鉛直支持具２９の各々の軸方向の一端から他端までの長さは、内管３５を外管３４に挿入する部分の長さによって変わる。一対の鉛直支持具２９の各々の軸方向の一端から他端までの長さは、例えば内管３５のピン３６が通される穴によって調整される。
【００４２】
ここで、軸方向に延びる形状の部材に分離面がある場合に、軸方向の一端を含む部材のみが分離面の一側に設けられる。このとき、軸方向の他端を含む部材のみが分離面の他側に設けられる。分離面は、軸方向に垂直な平面である。一方、一対の鉛直支持具２９の各々の内管３５は、使用状態において外管３４に挿入されている。ここで、内管３５は、軸方向の一端を含む部材である。外管３４は、軸方向の他端を含む部材である。このとき、一対の鉛直支持具２９の各々は、使用状態において分離面がない。すなわち、一対の鉛直支持具２９の各々の軸方向の一端は、使用状態において他端から分離されない。
【００４３】
続いて、図４を用いて、第１クランプ３０の構成を説明する。
図４は、実施の形態１に係る第１クランプの斜視図である。
【００４４】
一対の第１クランプ３０の各々は、互いに同じ構成である。一対の第１クランプ３０は、鉛直支持具固定部３９と、水平支持具固定部４０と、接続部４１と、を備える。
【００４５】
鉛直支持具固定部３９は、例えばクランプバンドである。鉛直支持具固定部３９は、一部が開いた環状の部材である。鉛直支持具固定部３９は、当該開いた部分にボルトを備える。鉛直支持具固定部３９は、一対の鉛直支持具２９のいずれかの側面をボルトによって締付けることで、当該鉛直支持具２９を固定する部分である。
【００４６】
水平支持具固定部４０は、例えばクランプバンドである。水平支持具固定部４０は、一部が開いた環状の部材である。水平支持具固定部４０は、当該開いた部分に締め付け用のボルトを備える。一対の第１クランプ３０の各々は、水平支持具２８の側面を水平支持具固定部４０で締付けることで、水平支持具２８に固定される。
【００４７】
接続部４１は、鉛直支持具固定部３９と、水平支持具固定部４０と、を接続する部分である。鉛直支持具固定部３９および水平支持具固定部４０は、接続部４１を軸として互いに回転可能に設けられる。接続部４１は、鉛直支持具固定部３９および水平支持具固定部４０を、環状の部分が互いに直交する向きに向けられるように固定してもよい。
【００４８】
続いて、図５を用いて、第２クランプ３２の構成を説明する。
図５は、実施の形態１に係る第２クランプの斜視図である。
【００４９】
第２クランプ３２は、水平支持具固定部４２と、ガイドレール固定部４３と、保護部４４と、を備える。
【００５０】
水平支持具固定部４２は、一部が開いた環状の部材である。水平支持具固定部４２は、当該開いた部分にボルトを備える。水平支持具固定部４２は、水平支持具２８の側面をボルトによって締付けることで、水平支持具２８を固定する部分である。
【００５１】
ガイドレール固定部４３は、コの字状の形状の部材である。ガイドレール固定部４３は、ボルトを備える。
【００５２】
保護部４４は、ガイドレール固定部４３のボルトの端部に設けられる。保護部４４は、ガイドレール固定部４３の内面に対向する。保護部４４は、例えば樹脂またはゴムによって形成される。保護部４４と対向するガイドレール固定部４３の内面との間隔は、可変である。当該間隔は、ガイドレール固定部４３のボルトの締め付けによって調整される。ガイドレール固定部４３の最大拡大幅は、当該間隔の幅の最大値である。
【００５３】
続いて、図６を用いて、スペーサー３３の構成を説明する。
図６は、実施の形態１に係るスペーサーの斜視図である。
【００５４】
スペーサー３３は、例えば樹脂によって形成される。
【００５５】
スペーサー３３は、底面４５を有する。底面４５は平坦な面である。
【００５６】
スペーサー３３は、第１領域４６と、第２領域４７と、落下防止領域４８と、を有する。第１領域４６は、底面４５からの厚さが一定である。第１領域４６の厚さは、厚さｔ１である。第１領域の上面は、第２クランプ３２の保護部４４が対向するガイドレール固定部４３の内面より広い。第２領域４７は、底面４５からの厚さが一定である。第２領域４７の厚さは、厚さｔ２である。厚さｔ２は、厚さｔ１より薄い。第２領域の上面は、第２クランプ３２の保護部４４が対向するガイドレール固定部４３の内面より広い。落下防止領域４８の厚さは、厚さｔ３である。厚さｔ３は、厚さｔ１より厚い。厚さｔ３は、ガイドレール固定部４３の最大拡大幅よりも厚い。落下防止領域４８は、スペーサー３３の端部に設けられる。第１領域４６は、落下防止領域４８に隣接して設けられる。第１領域４６は、落下防止領域４８に対して、落下防止領域４８が設けられるスペーサー３３の端部の反対側に設けられる。第２領域４７は、第１領域４６に隣接して設けられる。第２領域４７は、第１領域４６に対して、落下防止領域４８の反対側に設けられる。落下防止領域４８と、第１領域４６と、第２領域４７とは、スペーサー３３の一端からこの順に並ぶ。
【００５７】
続いて、図７から図１０を用いて、実施の形態１に係る重り枠組立方法を説明する。
図７から図１０は、実施の形態１に係る釣合重り支持方法の例を示す図である。
【００５８】
図７において、ピット３における釣合重り９が示される。紙面の上方向は、鉛直上方である。紙面の左方向は、釣合重り９の左方向である。
【００５９】
作業員は、鉛直支持具配置工程として、一対の鉛直支持具２９の各々を鉛直に立てて配置する。一対の鉛直支持具２９の各々の底板３７は、ピット３の床面に当てられる。一対の鉛直支持具２９の各々の中心軸は、鉛直方向に向けられる。一対の鉛直支持具２９の各々は、釣合重り９の下に配置される。ここで、釣合重り９は、一対の鉛直支持具２９の各々の軸方向の一端から他端までの長さより高い位置にある。
【００６０】
図８において、釣合重り支持装置２７の上面図が示される。紙面の下方向は、釣合重り支持装置２７の前方向である。
【００６１】
一対の鉛直支持具２９の各々の中心軸Ａ２は、鉛直面Ｐに含まれるように配置される。ここで、鉛直面Ｐは、一対の釣合重りガイドレール７の各々の中心を通る面である。
【００６２】
次に、作業員は、水平支持具固定工程の作業を行う。
【００６３】
作業員は、一対の第１クランプ３０の各々の鉛直支持具固定部３９のボルトを外す。作業員は、水平支持具２８を鉛直面Ｐの後側に配置する。作業員は、一対の鉛直支持具固定部３９の環状の部分に一対の鉛直支持具２９の各々を入れる。
【００６４】
作業員は、水平支持具２８の水平方向の位置を、鉛直面Ｐから水平支持具２８の中心軸Ａ１までの距離ｄが長さｈになるように調整する。長さｈは、一対の鉛直支持具２９の各々の中心軸Ａ２から水平支持具２８の中心軸Ａ２に下ろした垂線の長さである。
【００６５】
作業員は、水平支持具２８の位置の調整において、一対の固定具３１の一方のスペーサー３３を、当該固定具３１の第２クランプ３２のガイドレール固定部４３の内面と一対の釣合重りガイドレール７の一方との間に配置する。このとき、当該スペーサー３３の底面４５は、当該釣合重りガイドレール７の後面に当てられる。
【００６６】
作業員は、当該釣合重りガイドレール７の厚さＴに応じて、当該ガイドレール固定部４３の内面に当該スペーサー３３の第１領域４６を当てるか、または、第２領域４７を当てるかを選択する。これにより、水平支持具２８の水平方向の位置が調整される。このとき、作業員は、落下防止領域４８を上方に向けて当該スペーサー３３を配置する。すなわち、落下防止領域４８は、当該ガイドレール固定部４３より上方に配置される。当該第２クランプ３２の保護部４４は、当該釣合重りガイドレール７の前面に当てられる。作業員は、当該第２クランプ３２のボルトを締め付けることによって、当該固定具３１が設けられる水平支持具２８の端部を当該釣合重りガイドレール７に固定する。
【００６７】
同様にして、作業員は、一対の固定具３１の他方が設けられる水平支持具２８の端部を、一対の釣合重りガイドレール７の他方に固定する。
【００６８】
図９において、ピット３における釣合重り９が示される。紙面の上方向は、鉛直上方向である。紙面の左方向は、釣合重り９の左方向である。
【００６９】
水平支持具２８は、一対の釣合重りガイドレール７の一方から他方に亘って水平に固定される。水平支持具２８の高さは、一対の鉛直支持具２９の各々の軸方向の中心の高さ以上である。
【００７０】
次に、作業員は、鉛直支持具固定工程の作業を行う。
【００７１】
鉛直支持具固定工程において、作業員は、一対の第１クランプ３０の各々の鉛直支持具固定部３９のボルトを締め付ける。これにより、作業員は、一対の鉛直支持具２９の各々を側方から水平支持具２８に固定する。
【００７２】
図１０において、ピット３における釣合重り９が示される。紙面の上方向は、鉛直上方向である。紙面の左方向は、釣合重り９の左方向である。
【００７３】
次に、作業員は、釣合重り支持工程の作業を行う。
【００７４】
釣合重り支持工程は、鉛直支持具調整工程を含む。
【００７５】
鉛直支持具調整工程において、作業員は、一対の鉛直支持具２９の各々の軸方向の一端から他端までの長さを、釣合重り９の下面の高さに調整する。一対の鉛直支持具２９の各々の天板３８は、釣合重り９の下面に当てられる。
【００７６】
釣合重り支持工程において、釣合重り９の下面は、一対の鉛直支持具２９の各々の天板３８に乗せられる。一対の鉛直支持具２９の各々は、ピット３の床面と釣合重り９の下面との間において、釣合重り９を支持する。
【００７７】
以上に説明したように、実施の形態１に係る釣合重り支持装置２７は、水平支持具２８と、一対の固定具３１と、一対の鉛直支持具２９と、を備える。水平支持具２８は、延伸方向に延びる形状である。一対の固定具３１の各々は、水平支持具２８の延伸方向の両端部の各々に設けられる。一対の固定具３１の各々は、鉛直面Ｐの一側において、水平支持具２８を一対の釣合重りガイドレール７の一方から他方に亘って水平に固定する。鉛直面Ｐは、エレベーター１の一対の釣合重りガイドレール７の各々の中心を通る。一対の鉛直支持具２９の各々は、軸方向に延びる形状である。一対の鉛直支持具２９の各々は、軸方向の一端が他端から分離されない。一対の鉛直支持具２９の各々は、水平支持具２８に側方から固定され中心軸Ａ２が鉛直面Ｐに含まれるように軸方向を鉛直方向に向けた状態で、エレベーター１の釣合重り９を下方から支持する。
【００７８】
実施の形態１に係るエレベーターの釣合重り支持方法は、鉛直支持具配置工程と、水平支持具固定工程と、鉛直支持具固定工程と、釣合重り支持工程と、を備える。鉛直支持具配置工程において、一対の鉛直支持具２９の各々は、各々の中心軸Ａ２が鉛直面Ｐに含まれるように軸方向を鉛直方向に向けて釣合重り９の下に配置される。鉛直支持具配置工程において、ピット３の床面からの釣合重り９の下面の高さは、一対の鉛直支持具２９の各々の軸方向の一端から他端までの長さより高い位置にある。水平支持具固定工程において、水平支持具２８は、一対の固定具３１によって、鉛直面Ｐの一側において一対の釣合重りガイドレール７の一方から他方に亘って水平に固定される。鉛直支持具固定工程において、一対の鉛直支持具２９の各々は、側方から水平支持具２８に固定される。釣合重り支持工程において、釣合重り９の下面は、一対の鉛直支持具２９の各々の一端に載せられる。釣合重り支持工程において、釣合重り９は、支持される。
【００７９】
一対の鉛直支持具２９の各々は、分離面による強度の低下がない。一対の鉛直支持具２９は、ピット３において、軸方向に分離された２つの部材の位置および角度を合わせる必要がない。このため、作業員は、釣合重り支持装置２７によって、簡単に十分な強度で釣合重り９を支持できる。
【００８０】
一対の鉛直支持具２９の各々は、水平支持具２８を介して一対の釣合重りガイドレール７の各々に固定される。これにより、一対の鉛直支持具２９の各々の座屈および転倒を抑えられる。
【００８１】
水平支持具２８は、一対の鉛直支持具２９の各々を側方から支持する。これにより、水平支持具２８は、分離面がない一対の鉛直支持具２９を一対の鉛直支持具２９の各々の中心軸Ａ２が鉛直面Ｐに含まれるように支持できる。鉛直面Ｐは、一対の釣合重りガイドレール７の各々の中心を通る。このため、一対の鉛直支持具２９の各々は、釣合重り９を安定して支持できる。
【００８２】
また、一対の鉛直支持具２９の各々は、軸方向の一端から他端までの間の長さが可変である。
【００８３】
また、釣合重り支持工程は、鉛直支持具調整工程を含む。鉛直支持具調整工程において、一対の鉛直支持具２９の各々の軸方向の一端から他端までの長さは、釣合重り９の下面の高さに調整される。
【００８４】
これにより、釣合重り９の支持において、釣合重り９の高さを下げる必要がない。このため、作業員は、釣合重り支持装置２７によって、より簡単に釣合重り９を支持できる。
【００８５】
また、一対の固定具３１の各々は、第２クランプ３２と、スペーサー３３と、を備える。第２クランプ３２は、水平支持具２８を一対の釣合重りガイドレール７のいずれかに固定する。スペーサー３３は、当該釣合重りガイドレール７と第２クランプ３２との間に設けられる。スペーサー３３は、鉛直面Ｐから水平支持具２８の中心軸Ａ１までの距離ｄを、一対の鉛直支持具２９の各々の中心軸Ａ２から水平支持具２８の中心軸Ａ１に下ろした垂線の長さｈに保つ。
【００８６】
距離ｄが垂線の長さｈに等しいとき、一対の鉛直支持具２９の各々の中心軸Ａ２が鉛直面Ｐに含まれる。垂線の長さｈは、釣合重り支持装置２７において、固定されている。距離ｄは、釣合重り支持装置２７の寸法と一対の釣合重りガイドレール７の各々の厚さＴとによって決まる。このため、当該厚さＴに応じてスペーサー３３を選択することで、作業員は、一対の鉛直支持具２９の水平方向の位置を容易に調整できる。したがって、作業員は、釣合重り支持装置２７によって、より簡単に釣合重り９を支持できる。
【００８７】
また、スペーサー３３は、第１領域４６と、第２領域４７と、落下防止領域４８と、を有する。第１領域４６は、底面４５からの厚さｔ１が一定の領域である。第２領域４７は、底面４５からの厚さｔ２が一定の領域である。第２領域４７の厚さｔ２は、第１領域４６の厚さｔ１より薄い。落下防止領域４８の厚さは、厚さｔ３である。厚さｔ３は、ガイドレール固定部４３の最大拡大幅よりも厚い。
【００８８】
スペーサー３３は、ガイドレール固定部４３と釣合重りガイドレール７との間に挿入される。スペーサー３３は、作業員が第１領域４６または第２領域４７のいずれかを選択することによって、一対の釣合重りガイドレール７の各々の厚さが異なる複数のエレベーターに使用できる。したがって、釣合重り支持装置２７の汎用性が高まる。また、落下防止領域４８がガイドレール固定部４３より上方に配置されることで、ガイドレール固定部４３のボルトを締め付けるときにスペーサー３３を誤って落下させることが効率的に抑制される。
【００８９】
なお、スペーサー３３は、底面４５からの厚さが第２領域４７の厚さｔ２よりさらに薄い領域を有してもよい。当該領域は、第２領域４７に隣接して設けられる。当該領域は、第２領域４７に対して、第１領域４６の反対側に設けられる。これにより、釣合重り支持装置２７の汎用性がより高まる。
【００９０】
釣合重り支持工程において、釣合重り９の高さは、一対の鉛直支持具２９の各々の天板３８が釣合重り９の下面に当たるように下げられてもよい。釣合重り支持工程は、鉛直支持具調整工程を含まなくてもよい。
【００９１】
一対の鉛直支持具２９の各々は、例えば単管パイプであってもよい。一対の鉛直支持具２９の各々は、例えば側面に切られたネジなどによって軸方向の長さが調整されてもよい。
【００９２】
一対の鉛直支持具２９の各々は、例えば番線によって水平支持具２８に固定されてもよい。
【００９３】
水平支持具２８は、例えばアングル材であってもよい。
【符号の説明】
【００９４】
１  エレベーター、  ２  昇降路、  ３  ピット、  ４  乗場、  ５  乗場扉、  ６  かごガイドレール、  ７  釣合重りガイドレール、  ８  かご、  １０  巻上機、  １１  そらせ車、  １２  主ロープ、  １５  かごバッファー、  １６  釣合重りバッファー、  １７  かご扉、  １８  ガイドシュー、  １９  ガイドシュー、  ２０  重りブロック、  ２１  重り枠、  ２７  釣合重り支持装置、  ２８  水平支持具、  ２９  鉛直支持具、  ３０  第１クランプ、  ３１  固定具、  ３２  第２クランプ、  ３３  スペーサー、  ３４  外管、  ３５  内管、  ３６  ピン、  ３７  底板、  ３８  天板、  ３９  鉛直支持具固定部、  ４０  水平支持具固定部、  ４１  接続部、  ４２  水平支持具固定部、  ４３  ガイドレール固定部、  ４４  保護部、  ４５  底面、  ４６  第１領域、  ４７  第２領域、  ４８  落下防止領域
【図１】
2019214458.tif 000003
【図２】
2019214458.tif 000004
【図３】
2019214458.tif 000005
【図４】
2019214458.tif 000006
【図５】
2019214458.tif 000007
【図６】
2019214458.tif 000008
【図７】
2019214458.tif 000009
【図８】
2019214458.tif 000010
【図９】
2019214458.tif 000011
【図１０】
2019214458.tif 000012